(57)【要約】 【課題】浴槽に洗浄用の湯水等を供給する浴槽エプロンで覆われている湯水の流路制御部材を覆う浴槽エプロンに、開閉自在の開口を設け、意匠性を損なうことなく流路制御部材の操作を可能とする。【解決手段】浴室ユニット１は、浴槽７と、浴槽７に湯水を供給する湯水配管３と、浴槽７を載置する床パン２９と、浴槽７の洗い場２７側を覆う浴槽エプロンを備えており、湯水配管３の途中に、湯水の流れを止めて水抜きを行う水抜き装置４を備えており、水抜き装置４は床パン２９に固定され、浴槽エプロン５５は、水抜き装置４の止水栓及び水抜き栓を臨む位置に樹脂製のキャップを着脱可能に備えた開口部５８が形成されており、この浴槽エプロン５５の開口部５８から止水栓３５及び水抜き栓４２の操作が可能である。【選択図】図４
2008307076.tif 000002
【特許請求の範囲】
【請求項１】
浴槽と、浴槽に湯水を供給する湯水配管と、浴槽を載置する床パンと、浴槽の洗い場側を覆う浴槽エプロンとからなる浴室ユニットであって、湯水配管の途中に、湯水の流れを止める、あるいは流れの方向を切り替えるための流路制御部材を備え、流路制御部材は床パンに固定されているとともに、浴槽エプロンに開口された開口部に臨まれる位置に流路制御部材の操作部が位置しており、浴槽エプロンの開口部から流路制御部材の操作部の操作が可能であることを特徴とする浴室ユニット。
【請求項２】
請求項１記載の浴室ユニットであって、浴槽エプロンの開口部には、樹脂製のキャップが洗い場側から着脱自在に取り付けられていることを特徴とする浴室ユニット。
【請求項３】
請求項１または２記載の浴室ユニットであって、浴槽エプロンの開口部は２つの円形がつながった連結円形状であることを特徴とする浴室ユニット。
【請求項４】
請求項１から３のいずれかに記載の浴室ユニットであって、湯水配管は浴槽を洗浄するための洗浄水を供給する浴槽洗浄配管であり、浴槽洗浄配管は浴槽洗浄ユニットを介して浴槽に接続されていることを特徴とする浴室ユニット。
【発明の詳細な説明】
【技術分野】
【０００１】
本発明は、浴槽に湯水を供給する湯水配管に流路制御部材を備えた浴室ユニットに関し、流路制御部材を操作するための開口及び開口を閉じるキャップを浴槽エプロンに設けたものに関する。
【背景技術】
【０００２】
浴槽の底面に洗浄ノズルを設けて、浴槽内面に洗浄水を噴射する浴槽洗浄装置は、従来、知られているが、洗浄ノズルに洗浄水を供給する浴槽洗浄ユニットは、通常、浴槽に近接して設置される。このような浴槽洗浄ユニットに洗浄水を供給する湯水配管は、浴槽の外面に沿って配設し、その洗い場側を浴槽エプロンで覆っている。
【０００３】
浴室において、従来、浴槽の前面を覆う洗い場部の立ち上がり壁面に点検口を形成し、この点検口からその内側の配管の点検を行う点、及び点検口に蓋体を着脱自在に設けた構成は、知られている（特許文献１参照）。
【０００４】
また、浴室の壁パネルの内側に設けた浴室ユニットの点検口を、壁パネルに設け、この壁パネルに着脱可能に水密材を取り付けた蓋体を着脱自在に取り付けた構成は、知られている（特許文献２参照）。    
【特許文献１】特公平６−００６０９９号公報
【特許文献２】特開平１１−３５０７５５号公報
【発明の開示】
【発明が解決しようとする課題】
【０００５】
上記のとおり、従来、浴槽洗浄装置等への湯水配管は浴槽の洗い場側の面に沿って配設され浴槽エプロンで覆われているが、その湯水管の途中に湯水の流れを制御する流路制御部材を設ける場合がある。例えば、寒冷地での水の凍結による配管の損傷事故を防止するために湯水配管の途中に水抜き装置（水抜き用切替弁）等である。
【０００６】
このような流路制御部材の操作をするために、従来は、使用者が浴槽エプロンを、一々取りはずして行うことが行われているが、きわめて面倒である。
【０００７】
本発明は、浴槽の洗い場側の浴槽エプロンで覆われている湯水配管等に設置される流路制御部材の操作をするために、浴槽エプロンに開口を設け、操作性、利便性を向上させ、しかも意匠性を損なわないようにした浴室ユニットを実現することを課題とする。
【課題を解決するための手段】
【０００８】
本発明は上記課題を解決するために、浴槽と、浴槽に湯水を供給する湯水配管と、浴槽を載置する床パンと、浴槽の洗い場側を覆う浴槽エプロンとからなる浴室ユニットであって、湯水配管の途中に、湯水の流れを止める、あるいは流れの方向を切り替えるための流路制御部材を備え、流路制御部材は床パンに固定されているとともに、浴槽エプロンに開口された開口部に臨まれる位置に流路制御部材の操作部が位置しており、浴槽エプロンの開口部から流路制御部材の操作部の操作が可能であることを特徴とする浴室ユニットを提供する。
【０００９】
浴槽エプロンの開口部には、樹脂製のキャップが洗い場側から着脱自在に取り付けられていることが好ましい。
【００１０】
浴槽エプロンの開口部は２つの円形がつながった連結円形状であることが好ましい。
【００１１】
湯水配管は浴槽を洗浄するための洗浄水を供給する浴槽洗浄配管であり、浴槽洗浄配管は浴槽洗浄ユニットを介して浴槽に接続されていることが好ましい。
【発明の効果】
【００１２】
本発明によれば、浴槽の洗い場側の面に沿って配設され、浴槽エプロンで覆われている湯水配管に設置される流路制御部材に対応して、浴槽エプロンに開口を設けたので、意匠性を損なうことなく流路制御部材の操作性、利便性を向上させるという効果が生じる。
【発明を実施するための最良の形態】
【００１３】
本発明に係る浴室ユニットを実施するための最良の形態を実施例に基づき図面を参照して、以下説明する。本発明に係る浴室ユニットは、浴槽と、浴槽に湯水を供給する湯水配管と、浴槽を載置する床パンと、浴槽の洗い場側を覆う浴槽エプロンとを備えている。
【００１４】
そして、本発明の特徴的な構成は、湯水配管の途中に、湯水の流れを止める、あるいは流れの方向を切り替えるための流路制御部材を備え、流路制御部材は床パンに固定されているとともに、浴槽エプロンに開口された開口部に臨まれる位置に流路制御部材の操作部が位置しており、浴槽エプロンの開口部から流路制御部材の操作部の操作が可能な構成である。
【実施例】
【００１５】
上記構成の本発明に係る浴室ユニットの実施例を以下説明する。この実施例では、湯水配管は、浴槽洗浄装置の浴槽洗浄ユニットへ洗浄用の湯水を供給する浴槽洗浄配管であり、この湯水配管の途中に、流路制御部材として水抜き装置を設けた構成として説明する。
【００１６】
図１は、本発明の浴室ユニット１の配管系を中心とした全体構成を説明する斜視図であり、図２は、本発明の浴室ユニット１において、浴槽洗浄ユニット２に洗浄水を供給する湯水配管３と、その途中に設けた水抜き装置４（流路制御部材）を中心にして、湯水の流路系全体を示すブロック図である。
【００１７】
浴槽洗浄ユニット２は、湯水供給部５（給湯器）から、湯水配管３によって湯水が供給され、この湯水に、洗剤供給部６（洗剤タンク）から供給される洗剤液を混ぜて洗浄液とし、浴槽７に取り付けられた洗浄ノズル８に供給するものである。洗浄ノズル８は、浴槽７の内面に向けて洗浄水を噴射するノズルであり、湯水配管３’を介して浴槽洗浄ユニット２のベンチュリ９に接続されている。
【００１８】
図３は、浴槽洗浄ユニット２の内部の構成を示す正面図である。図２及び図３に示すように、浴槽洗浄ユニット２は、水通路部１０を有しており、この水通路部１０に、順次、フィルタ１１、水量サーボ弁１２、流量センサ１３、注湯電磁弁１４、逆止弁１５、縁切り弁１６、縁切り弁１７、逆止弁１８及びベンチュリ９が配置されている。また、浴槽洗浄ユニット２は、ベンチュリ９に連通する洗剤電磁弁２０を備えている。
【００１９】
水通路部１０に設けられた各機器は、制御装置２１で制御される。制御装置２１からの洗浄開始信号が注湯電磁弁１４に送られると注湯電磁弁１４が開き、湯水供給部５から湯水水配管３を通して、浴槽洗浄ユニット２内に湯水が送られる。浴槽洗浄ユニット２のフィルタ１１は、湯水供給部５から出湯された湯水を受けてろ過し、流量センサ１３が湯水の瞬間的な流量（流量／時間）を計量して計量信号を制御装置２１に送信する。
【００２０】
制御装置２１は、その計量値を水量サーボ弁１２に送信し、水量サーボ弁１２はその計量値に応じて適宜、その弁の開閉度合いを制御し、洗浄ノズル８が噴射するに適した流量となるように制御する。２つの逆止弁１５、１８は洗浄水の逆流を防止し、縁切り弁１６、１７は、逆止弁１５、１８で止水された洗浄水を水通路部１０から機能ユニット外に排水管２２、２３を通して排出する。
【００２１】
制御装置２１によって注湯電磁弁１４が開閉制御され、洗浄水である湯水を洗浄ノズル８に一定量供給するとともに、洗剤電磁弁２０を開閉制御し、洗剤供給部６に入っている洗剤液をベンチュリ９に供給する。ベンチュリ９に供給された洗剤液は、ベンチュリ９を通過する湯水に混入される。これによって、洗剤入りの洗浄水が調製されて湯水配管３’を通して洗浄ノズル８に供給される。
【００２２】
湯水供給部５は、本実施例では、浴槽７、台所、その他水栓等に給湯する給湯器が使用される。この湯水供給部５には、水道管１９を通して水道水が供給され、また追い焚きのために浴槽７からの湯水も供給され、加熱されて浴槽７に湯水が供給される。湯水供給部５は、洗浄リモコン２４、浴室リモコン２５、台所リモコン２６等の操作によって、制御される。
【００２３】
図１、２に示すように、湯水供給部５から洗浄用の湯水は、湯水配管３を通して供給されるが、湯水配管３は、図４に示すように、浴槽７の洗い場２７側の面に沿って配設されている。そして、図１、図４及び図５に示すように、湯水配管３は、その途中に、水抜き装置４が設けられている。水抜き装置４は、図５に示すように、固定金具２８によって浴室の床パン２９に固定されている。
【００２４】
水抜き装置４は、図６に示すように、中央の隔壁３０で区画された入口室３１及び出口室３２と、中間室３３とを備えている。入口室３１は、湯水供給部５側の湯水配管３に接続されており、出口室３２は、浴槽洗浄ユニット２側の湯水配管３に接続されている。
【００２５】
入口室３１は、入口開口３４を介して中間室３３と連通している。入口開口３４に臨むように止水栓３５が設けられている。この止水栓３５は、入口開口３４を、図６に示すように、常時は開いている状態とするが、水抜きする際には、図７に示すように、閉止可能とするものである。止水栓３５は、栓本体３６と、栓本体３６の一端に固定された弁体３７を備えている。
【００２６】
栓本体３６の他端側は、円筒蓋３８が嵌着されている。円筒蓋３８は、中間室３３の入口側ネジ孔３９に螺着されており、その外面にはコインを嵌合することのできるコイン嵌合溝４０が形成されている。円筒蓋４０を回転して、入口側ネジ孔３９に対して、図６のように、緩めると止水栓３５及び弁体３７は入口開口３４から離れて通水状態となり、図７に示すように、ねじ込むと止水栓３５及び弁体３７を押し込み入口開口３４を閉止し止水状態となる。                                                         
【００２７】
出口室３２は、出口開口４１を介して中間室３３と連通している。出口開口４１に臨むように水抜き栓４２が設けられている。水抜き栓４２は、円筒体から成る水抜き栓本体４３を有し、水抜き栓本体４３の円筒壁の一部に流入孔４４が形成され、この流入孔４４を塞ぐように金網状のメッシュフィルタ４５が設けられている。
【００２８】
また。水抜き栓本体４３の一端部には、同軸的にボス４６が形成され、また流出孔４７が形成されている。このボス４６に、流出孔４７を常閉するようにバネ４８で付勢され、水抜き栓本体４３に対してその長手方向にボス４３で案内されて可動な逆止弁用の弁体４９が設けられている。
【００２９】
水抜き栓本体４３の他端には円形蓋５０が嵌着されている。この円形蓋５０の突条縁５１が水抜き栓本体４３の内周溝５２に嵌合し、水抜き栓本体４３が、その長手方向に、円形蓋５０と一体で移動可能である。
【００３０】
円形蓋５０は、中間室３３の出口側ネジ孔５３に螺着されており、その外面にはコインを嵌合することのできるコイン嵌合溝５４が形成されている。水抜きの際には、円形蓋５０を、図７に示すように、出口側ネジ孔５３から外して引き抜くことで水抜き栓４２を出口室３２から引き出すことが可能である。
【００３１】
図４では示していないが、浴槽７の洗い場２７側には、図８（ａ）に一部を示すような浴槽エプロン５５が装着されている。この浴槽エプロン５５及びその取付構造自体は周知技術であるから、ここでは詳細な説明はしないが、浴槽エプロン５５の上端を浴槽フランジ５６の外周縁内側の係止部に係合して、浴槽エプロン５５の下部を床パン２９に固定具５７（図５参照）を介してネジ止めされる構成である。
【００３２】
浴槽エプロン５５には、水抜き装置４を臨む位置に、図８（ａ）、（ｂ）に示すように、開口部５８が形成されている。この浴槽エプロン５５の開口部５８は、止水栓３５の円筒蓋３８及び水抜き栓４２の円形蓋５０に臨み、これらを操作できるように、２つの円形がつながった連結円形状のだるま孔に形成されている。また、浴槽エプロン５５の開口部５８は、連結円形状に形成されているので、ホールソーで開口することが可能であり、加工が容易であり加工費を低減できる効果がある。
【００３３】
浴槽エプロン５５の開口部５８には、化粧キャップ５９が着脱可能である。化粧キャップ５９は、合成樹脂（例えば、オレフィン系熱可塑性エラストマー等）で一体で成形されている。化粧キャップ５９は、図８（ｃ）に示すように、洗い場２７側正面から見た正面視で、矩形部と左右の半円部とから成るほぼ楕円状の化粧キャップ本体６０を有し、図８（ｄ）、（ｅ）に示すように、化粧キャップ本体６０の左右の半円部の内面に、それぞれ嵌合部６１が形成されている。
【００３４】
この嵌合部６１は、図８（ｄ）〜（ｇ）に示すように、化粧キャップ５９の内面から突設した略半円状の筒の形状をしており、その外周面に沿って嵌合溝６２が形成されている。化粧キャップ５９を浴槽エプロン５５の開口部５８に装着する際には、嵌合部６１の嵌合溝６２に、浴槽エプロン５５の開口部５８の左右の内縁を嵌合させる。これによって、化粧キャップ５９を浴槽エプロン５５の開口部５８に嵌着することができる。
【００３５】
（作用）
以上の構成の浴室ユニット１の作用をその使用態様を通して以下説明する。通常は、図６に示すように、水抜き装置の止水栓３５は開口された状態となっているので、給湯側の湯水配管３を通して供給される湯水は、水抜き装置４の入口室３１に入り、入口開口３４から中間室３３に入る。
【００３６】
さらに、湯水は、中間室３３からメッシュフィルタ４５を通過して水抜き栓本体４３内に入り、逆止弁用の弁体４９をバネ４８に抗して押し開けて出口開口４１から出口室３２に入り、浴槽洗浄ユニット２側の湯水配管３に流れる。
【００３７】
利用者等が湯水配管３の水抜きをする場合は、浴槽エプロン５５の開口部５８に嵌着されている化粧キャップ５９を取り外す。すると、止水栓３５の円筒蓋３８と水抜き栓４２の円形蓋５０の外面が露出する。
【００３８】
水抜き装置４より出口側（下流側）の湯水配管３の水抜きをする場合は、止水栓３５の円筒蓋３８の外面に形成されたコイン嵌合溝４０にコインを嵌合して円筒蓋３８を入口側ネジ孔３９にねじ込むように回転することで、図７に示すように、止水栓３５の弁体３７で入口開口３４を閉止する。
【００３９】
このように、止水栓３５を閉じてから、水抜き栓４２の円形蓋５０のコイン嵌合溝５４にコインを嵌合して円形蓋５０を出口側ネジ孔５３から緩める方向に回転して、円形蓋５０及び水抜き栓４２を出口室３２から抜き取る。
【００４０】
すると、水抜き装置４より出口側の湯水配管３及び浴槽ユニット２内に残っている湯水は、自重で出口側のネジ孔５３から流れ出る。なお、止水栓３５を閉止することなく、湯水供給部５からの湯水の送水を停止してもよい。
【００４１】
水抜き装置４より入口側の湯水配管３の水抜きをする場合は、湯水供給部５からの湯水の送水を停止しておき、止水栓３５を入口側ネジ孔３９から抜き取れば、湯水配管３内の水を入口側のネジ孔３９から流出させることが可能となる。
【００４２】
化粧キャップ５９を浴槽エプロン５５の開口部５８に装着する際には、化粧キャップ５９の左右の嵌合部６１に浴槽エプロン５５の開口部５８の内縁を嵌合させるようにして、嵌着すればよい。
【００４３】
以上、本発明に係る浴室ユニットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係る浴室ユニットは、上記のような構成であるが、本発明の構成のうち、湯水配管３の流路制御部材を備え、これをカバー部材でカバーし、流路制御部材に面するようにカバー部材に開口を設け、この開口に化粧キャップを着脱可能に装着する構成は、浴室ユニットに限らず、洗面室等であって、流路制御部材を備えた箇所に適用可能である。
【図面の簡単な説明】
【００４５】
【図１】本発明に係る浴室ユニットの実施例の全体構成を示す斜視図である。
【図２】本発明に係る浴室ユニットの実施例における湯水の配管系全体を説明するブロック図である。
【図３】本発明の実施例の浴室ユニットにおける浴槽洗浄ユニットの内部の構成を示す正面図である。
【図４】本発明の実施例の浴室ユニットにおける、浴槽、浴槽洗浄ユニット、水抜き装置及び湯水配管等の関係的構成を説明する斜視図である。
【図５】図４の要部拡大図であり、浴室ユニットの流路制御部材及びその取付状態を説明する図である。
【図６】本発明の実施例の浴室ユニットの水抜き装置の構成を説明する図であり、通常の動作状態を示す。
【図７】本発明の実施例の浴室ユニットの水抜き装置の構成を説明する図であり、水抜き状態を示す。
【図８】本発明の実施例の浴室ユニットの浴槽エプロン及び化粧キャップを説明する図であり、（ａ）は浴槽エプロンの一部の正面図を示し、（ｂ）は浴槽エプロンの開口部の正面形状を示す図であり、（ｃ）は化粧キャップの正面図、（ｄ）は化粧キャップの平面図、（ｅ）は化粧キャップの裏面図、（ｆ）は（ｄ）のＡ−Ａ断面図、（ｇ）は（ｄ）のＢ−Ｂ断面図である。
【符号の説明】
【００４６】
１  浴室ユニット                           
２  浴槽洗浄ユニット                       
３  湯水配管（浴槽洗浄ユニットの上流の湯水配管）
３’  湯水配管 （浴槽洗浄ユニットの下流の湯水配管）                           
４  水抜き装置                             
５  湯水供給部                             
６  洗剤供給部                             
７  浴槽                                   
８  洗浄ノズル                             
９  ベンチュリ                             
１０  水通路部                              
１１  フィルタ                              
１２  水量サーボ弁                            
１３  流量センサ                            
１４  注湯電磁弁                            
１５  逆止弁                                
１６  縁切り弁                              
１７  縁切り弁
１９  水道管                              
１８  逆止弁                                
２０  洗剤電磁弁                            
２１  制御装置                              
２２、２３  排水管                          
２４  洗浄リモコン                          
２５  浴室リモコン                          
２６  台所リモコン                         
２７  洗い場                               
２８  固定金具                             
２９  床パン                               
３０  水抜き装置の中央の隔壁                           
３１  入口室                               
３２  出口室                               
３３  中間室                               
３４  入口開口                              
３５  止水栓                               
３６  栓本体                               
３７  止水栓の弁体                         
３８  円筒蓋                               
３９  中間室の入口側ネジ孔                         
４０  コイン嵌合溝                         
４１  出口開口                             
４２  水抜き栓                             
４３  水抜き栓本体                         
４４  流入孔                               
４５  メッシュフィルタ                     
４６  ボス                                 
４７  流出孔                               
４８  バネ                                   
４９  逆止弁用の弁体                       
５０  円形蓋                                   
５１  突条縁                               
５２  水抜き栓本体の内周溝                 
５３  中間室の出口側ネジ孔             
５４  コイン嵌合溝                         
５５  浴槽エプロン                         
５６  浴槽フランジ                         
５７  固定具                               
５８  浴槽エプロンの開口部                 
５９  化粧キャップ                         
６０  化粧キャップ本体                     
６１  嵌合部                               
６２  嵌合溝                               
【図１】
2008307076.tif 000003
【図２】
2008307076.tif 000004
【図３】
2008307076.tif 000005
【図４】
2008307076.tif 000006
【図５】
2008307076.tif 000007
【図６】
2008307076.tif 000008
【図７】
2008307076.tif 000009
【図８】
2008307076.tif 000010